(57)【要約】【課題】本発明は誕生日により、早見表で割り出した象を人生周季盤にて運勢の過去と現在、未来の年運・月運・日運の運勢変化が判る道具。自分と他人との相性や方位等毎日のリズムが一目で判り仕事や趣味にも使え、他人とのコミニケーションも取れ、悩みを１人でも解消できる人生周季盤。【解決手段】本発明は、一つの円盤上で年・月・日運が一目で判るように回転盤の内容を１２等分し４段重ね・３段重ね・２段重ねの構成で３通りの人生周季盤ができるようにした。１段目の周季は、全てに共通し１２周季の内容も◎・○・△・×と判りやすく、素人やプロの方々でも簡単に使え即答できる事も心がけた。早見表にて自分の象を見つけご縁の森に合わせると１は全体運、２は過去と現在運、３は毎日の運、４は毎月の運、５は過去、現在、未来の年運。６は早見表に依る生まれ持った象、７は中心、８は方位。９は生まれ持った１２支の干支になる。【選択図】  図９
2008018158.tif 000002
【特許請求の範囲】
【請求項１】
円形を１２等分に区分して、第１円盤、第２円盤を重ね合わせ各中心を軸で止めて回転できるように構成している人生周季盤であって、
外円から１２等分した第１円盤に、１２年周季の運気を左回りに厄入×、厄×、厄退×、△変化○、安伸○、決定○、心労×、天運◎、迷労×、△再変◎、福運◎、安定◎を記載し、
外円から第２円盤に、４つの同心円を表示することにより、外周から第１〜第５エリアに分け、第１エリアを１２等分して、運勢が判別できる月を記載し、第２エリアを２４等分して、運からできる過去と未来の年を記載し、第３エリアを１２等分して、１２の各象の名前を記載し、第４エリアを１２等分して、１２支の干支を記載し、第５エリアは、方位を記載し、
前記第１円盤および前記第２円盤をそれぞれ中心周りに回転可能としたことを特徴とする人生周季盤。
【請求項２】
前記第１円盤と前記第２円盤の間に第３円盤を重ね合わせ各中心を軸で止めて回転できるように構成している請求項１に記載した人生周季盤であって、
外円から１２等分した第３円盤に運勢が判別できる日を記載し、毎日運が判ることを特徴として３種類の円盤の各中心を軸で止め、回転可能とした人生周季盤。
【請求項３】
前記第１円盤と前記第３円盤の間に、第４円盤を重ね合わせ各中心を軸で止めて回転できるように構成している請求項２に記載した人生周季盤であって、
外円から１２等分した第４円盤に過去から現在の年代を記載し、過去運が判ることを特徴として４種類の円盤の各中心を軸で止め、回転可能とした人生周季盤。
【発明の詳細な説明】
【技術分野】
【０００１】
本発明は、誕生日で割り出した象より、円盤上にて自分や他人の毎日現れる現象リズムが一目で判る道具。
【背景技術】
【０００２】
従来円盤上にての占い方の道具はあったが、自分や他人の誕生日で、１２干支との相性、方位、過去、現在、未来が一目で判る盤の２段重ね、３段重ね、４段重ねの人生周季盤はなかった。
【発明の開示】
【発明が解決しようとする課題】
【０００３】
従来の占い方法は、誕生日の早見表により、円盤上にて１２干支との相性、方位、過去から現在、未来が即座に判る円盤はなかった。人生周季盤の発明により自分や他人の未来、現在、過去の運命リズムが判り、楽しみながら、前向きに生きる道具があれば、人はプラス志向になれ、自分と他人との相性や運気リズムが判り、心が癒される道具にもなる。
【０００４】
本発明は、誰でも簡単で即座に自分の運勢を切り替えられる人生周季盤である。個人・家族・仕事用にも使える道具を提供することを目的とする。
【課題を解決するための手段】
【０００５】
本発明は、前述の目的を達するための人生周季盤であって、その手段は、円形を１２等分に区分して、第１円盤、第２円盤を重ね合わせ各中心を軸で止めて回転できるように構成している人生周季盤であって、外円から１２等分した第１円盤に、１２年周季の運気を左回りに厄入×、厄×、厄退×、△変化○、安伸○、決定○、心労×、天運◎、迷労×、△再変◎、福運◎、安定◎を記載し、外円から第２円盤に、４つの同心円を表示することにより、外周から第１〜第５エリアに分け、第１エリアを１２等分して、運勢が判別できる月を記載し、第２エリアを２４等分して、運からできる過去と未来の年を記載し、第３エリアを１２等分して、１２の各象の名前を記載し、第４エリアを１２等分して、１２支の干支を記載し、第５エリアは、方位を記載し、前記第１円盤および前記第２円盤をそれぞれ中心周りに回転可能としたことを特徴とした請求項１記載の人生周季盤。
【０００６】
前記第１円盤と前記第２円盤の間に第３円盤を重ね合わせ各中心を軸で止めて回転できるように構成している請求項１に記載した人生周季盤であって、外円から１２等分した第３円盤に運勢が判別できる日を記載し、毎日運が判ることを特徴として３種類の円盤の各中心を軸で止め、回転可能とした請求項２記載の人生周季盤。
【０００７】
前記第１円盤と前記第３円盤の間に第４円盤を重ね合わせ各中心を軸で止めて回転できるように構成している請求項２に記載した人生周季盤であって、外円から１２等分した第４円盤に過去から現在の年代を記載し、過去運が判ることを特徴として４種類の円盤の各中心を軸で止め、回転可能とした請求項３記載の人生周季盤。
【発明の効果】
【０００８】
いつでも、簡単に持ち運びができ、どこへでも持参できる円盤である。
家族や仕事場その他色々な環境に応じ使用目的が広がり、楽しく人生を生きる道具として発明している。心のバランスを知る一つの道具とすれば、他人とのコミニュケーションも取りやすく、悩みも一人でも解消できる。
【発明を実施するための最良の形態】
【０００９】
第１円盤は、基本ベースである。円盤の外周り×厄部分に合わせる為に目標となる、例えばご縁の森をつける。その反対側に人生周季盤名をつける事により、鑑定しやすくなる。ご縁の森から、中心に解説していくと、左回りに×厄、×厄退、△変化○、○安伸、○決定、×心労、×天運◎、×迷労、△再変◎、◎福運、◎安定、×厄入になる。
第２円盤は、４つの同心円を表示し、外周から第１〜第５エリアに分け、第２エリアの年運以外は、内容をブロック固定する。第１エリアを１２等分して、ご縁の森左回りに１月、２月、３月、４月、５月、６月、７月、８月、９月、１０月、１１月、１２月と運勢が判別できる月を記載し、第２エリアを２４等分して、運からできる過去と未来の年を記載する。毎年の干支を初年度とし、例えば戌年であれば戌から左回りに、H・６年、H・１８年、H・7年、H・１９年、H・８年、H・２０年、H・９年、H・２１年、H・１０年、H・２２年、H・１１年、H・２３年、H・１２年、H・２４年、H・１３年、H・２５年、H・１４年、H・２６年、H・１５年、H・２７年、H・１６年、H・２８年、H・１７年、H・２９年とする。新年度を中心に表示は変動可能である。
第３エリアを１２等分して、１月に空ノ象で左回りに空ノ象、谷ノ象、風ノ象、天ノ象、月ノ象、火ノ象、金ノ象、山ノ象、滝ノ象、地ノ象、泉ノ象、海ノ象１２の各象の名前をブロック固定記載し、第４エリアを１２等分して、空ノ象の上に丑から左回りに丑、寅、卯、辰、巳、午、未、申、酉、戌、亥、子１２支の干支をブロック固定記載し、第５エリアは、方位。子の上に北、午の上に南、卯の上に東、酉の上に西、丑と寅の真ん中に北東、辰と巳の真ん中に南東、未と申の真ん中に南西、戌と亥の真ん中に北西を固定記載し、２種類の円盤の各中心を軸で止め、回転可能としたことを特徴とする人生周季盤である。
さらに、第１円盤と第２円盤の間に第３円盤を１２等分して、左回りに５日１７日２９日、６日１８日３０日、７日１９日３１日、８日２０日、９日２１日、１０日２２日、１１日２３日、１２日２４日、１日１３日２５日、２日１４日２６日、３日１５日２７日、４日１６日２８日をブロック固定記載することにより、毎日運が判る。
さらに、第１円盤と第３円盤の間に第４円盤を１２等分して、左回りに９・２１・３３、８・２０・３２、７・１９・３１、６・１８・３０、５・１７・２９、４・１６・２８、３・１５・２７、２・１４・２６、１・１３・２５、０・１２・２４、１１・２３・３５、１０・２２・３４をブロック固定記載することにより、過去から現在までの年運が判る。第１円盤と第２円盤、第３円盤、第４円盤の空間をそれぞれはがせる糊で止める事により、一時止めが可能となり、くり返し運が判る。
回転可能としたことを特徴とする人生周季盤である。
使う用途に応じて、２段重ね、３段重ね、４段重ねとそれぞれの円サイズを調節して別々に使い分ける事もできるよう最良の形態とした人生周季盤である。
ご縁の森に毎月１日をカレンダーによる干支に合わせ、第４円盤の０・１２・２４を現年度に合わせて使う事により、くり返し円盤を使う事ができる。
結果、年運・月運・日運が判る。１２年間の周期を一つの円盤上にて全ての相性を判断できる。過去と現在と未来の自分の運勢や他人との相性運勢が即座に判別できる
ように工夫している。
第１円盤をベースに年運は、1年間の全体運。月運は、１２ヶ月の月々の運勢。日運は、１ヶ月１〜３１日間の毎日の運勢。素人やプロの方々でも簡単に使え即答できる
事を心がけ発明した。見かたによっては、人生の羅針盤として大いに役立つ周季盤と考えている。特に、運勢の変化が判り、自分をコントロールする事もできる。×マークの年や月・日は、不和のトラブルが強く出やすく注意日。健康に気をつけ謙虚に過ごす。人間は、１２種類の干支に振り分けられる。親子関係や他人との相性をみて人生のメカニズムを掴み、前向きに楽しく人生を過ごしてほしいと発明した。
多少なりとも占いブームの中で平和な世の中に役立つ道具だと考えた。
【実施例】
【００１０】
以下、添付図面に従って一実施を説明する。
例えば、昭和２７年４月１５日の運勢を見る場合は、図１３に提示している早見表で象を見つける。生年月日の交わっている数字の基本数に生まれた日を足す。（１３＋１５）２８で火の象になる。６０を超える場合は、６０を引いて象を見る。
人生周季盤は、年度の干支を見る時は、１月１日から１２月３１日で見る。次に毎月１日とカレンダーによる干支をご縁の森に合わせ、第４円盤の０・１２・２４を現年度に合わせて使う事により、過去と現在と未来の自分の運勢と相性や他人の運勢が即座に判別できるようになる。
【００１１】
見つけた象をご縁の森に合わせる。第１円盤は、全体運の意味。２は、過去から現在の年代（０〜３５年前）。数字の０の所が現在の年運になる。３は、毎日運（１〜３１日）。４は、毎月運（１〜１２月）。５は、現在（年運）〜未来（年運）〜過去（年運）。６は、早見表に依る生れ持った象。７は、円盤の中心。８は、生まれ持った１２支の干支。９は、生まれ持った象に依る方位。１０は、名称人生周季盤。１１は、屋号でご縁の森。１２は、はがせる糊。
【００１２】
占いにより、◎・○・△・×によって一目で気のエネルギーを理解でき、健康など、自分でコントロールする事にも使用できる。又、自分と１２支の干支との相性も判別できる。図１は第１円盤に第２円盤の各中心を軸で止めて使用する。図２は図１の一部拡大図で解説すると８は厄×になる干支。９は×になる方位。６は象。５は過去と未来年。４は月運。１は全体運。１１は屋号ご縁の森である。図３は図１の立体図面。図４は図３の一部で１２は、はがせる糊。図５は第１円盤に第２円盤、第３円盤の各中心を軸で止めて使用する。第２円盤、第３円盤が回転。図６は図５の一部拡大図で解説すると８は厄×になる方位。９は×になる干支。６は象。５は過去と未来年。４は月運。３は毎日運。１は全体運。１１はご縁の森。図７は図５の立体図面。図８は図７の一部で１２は、はがせる糊。図９は第１円盤に第２円盤、第３円盤、第４円盤の各中心を軸で止めて使用する。第２円盤、第３円盤、第４円盤が回転。図１０は図９の一部拡大図で解説すると８は厄×になる干支。９は×になる方位。６は象。５は過去と未来年。４は月運。３は日運。２は過去年数。１は全体運。１１は屋号ご縁の森。図１１は図９の立体図面。図１２は図１１の一部１２は、はがせる糊。
【図面の簡単な説明】
【００１３】
【図１】請求項１の２段重ね全体を示す運勢の周季盤である
【図２】２段重ね周季盤一部象の拡大図である
【図３】盤の構成が２枚重ねになっている立体図である
【図４】図３の拡大断面図である
【図５】請求項２の３段重ね全体を示す運勢の周季盤である
【図６】３段重ね周季盤一部象の拡大図である
【図７】盤の構成が３枚重ねになっている立体図である
【図８】図７の拡大断面図である
【図９】請求項３の４段重ね全体を示す運勢の周季盤である
【図１０】４段重ね周季盤一部象の拡大図である
【図１１】盤の構成が４枚重ねになっている立体図である
【図１２】図１１の拡大断面図である
【図１３】早見表の一部である
【符号の説明】
【００１４】
１      全体運（年・月・日）人生周季の現象
左回りに厄入×、厄×、厄退×、△変化○、安伸○、決定○、心労×、
天運◎、迷労×、△再変◎、福運◎、安定◎
２      年齢による現在から過ぎ去った過去（０〜３５年間）
３      毎日運（１〜３１日）
４      毎月運（１〜１２月）
５      現在（年運）〜未来（年運）〜過去（年運）
６      早見表に依る生まれ持った象
７      円盤の中心部分を軸で固定して回転
８      生まれ持った１２干支
９      生まれ持った象に依る方位
１０    名称  人生周季盤
１１    屋号  ご縁の森
１２    はがせる糊
【図１】
2008018158.tif 000003
【図２】
2008018158.tif 000004
【図３】
2008018158.tif 000005
【図４】
2008018158.tif 000006
【図５】
2008018158.tif 000007
【図６】
2008018158.tif 000008
【図７】
2008018158.tif 000009
【図８】
2008018158.tif 000010
【図９】
2008018158.tif 000011
【図１０】
2008018158.tif 000012
【図１１】
2008018158.tif 000013
【図１２】
2008018158.tif 000014
【図１３】
2008018158.tif 000015
【手続補正書】
【提出日】平成18年7月21日(2006.7.21)
【手続補正１】
【補正対象書類名】明細書
【補正対象項目名】００１１
【補正方法】変更
【補正の内容】
【００１１】
見つけた象をご縁の森に合わせる。第１円盤は、全体運の意味。２は、過去から現在の年代（０〜３５年前）。数字の０の所が現在の年運になる。３は、毎日運（１〜３１日）。４は、毎月運（１〜１２月）。５は、現在（年運）〜未来（年運）〜過去（年運）。６は、早見表に依る生れ持った象。７は、円盤の中心。８は、生まれ持った象に依る方位。９は、生まれ持った１２支の干支。１０は、名称人生周季盤。１１は、屋号でご縁の森。１２は、はがせる糊。
【手続補正２】
【補正対象書類名】明細書
【補正対象項目名】００１２
【補正方法】変更
【補正の内容】
【００１２】
占いにより、◎・○・△・×によって一目で気のエネルギーを理解でき、健康など、自分でコントロールする事にも使用できる。又、自分と１２支の干支との相性も判別できる。図１は第１円盤に第２円盤の各中心を軸で止めて使用する。図２は図１の一部拡大図で解説すると８は厄×になる方位。９は×になる干支。６は象。５は過去と未来年。４は月運。１は全体運。１１は屋号ご縁の森である。図３は図１の立体図面。図４は図３の一部で１２は、はがせる糊。図５は第１円盤に第２円盤、第３円盤の各中心を軸で止めて使用する。第２円盤、第３円盤が回転。図６は図５の一部拡大図で解説すると８は厄×になる方位。９は×になる干支。６は象。５は過去と未来年。４は月運。３は毎日運。１は全体運。１１はご縁の森。図７は図５の立体図面。図８は図７の一部で１２は、はがせる糊。図９は第１円盤に第２円盤、第３円盤、第４円盤の各中心を軸で止めて使用する。第２円盤、第３円盤、第４円盤が回転。図１０は図９の一部拡大図で解説すると８は厄×になる方位。９は×になる干支。６は象。５は過去と未来年。４は月運。３は日運。２は過去年数。１は全体運。１１は屋号ご縁の森。図１１は図９の立体図面。図１２は図１１の一部１２は、はがせる糊。
【手続補正３】
【補正対象書類名】明細書
【補正対象項目名】００１４
【補正方法】変更
【補正の内容】
【００１４】
１      全体運（年・月・日）人生周季の現象
左回りに厄入×、厄×、厄退×、△変化○、安伸○、決定○、心労×、
天運◎、迷労×、△再変◎、福運◎、安定◎
２      年齢による現在から過ぎ去った過去（０〜３５年間）
３      毎日運（１〜３１日）
４      毎月運（１〜１２月）
５      現在（年運）〜未来（年運）〜過去（年運）
６      早見表に依る生まれ持った象
７      円盤の中心部分を軸で固定して回転
８      生まれ持った象に依る方位
９      生まれ持った１２干支
１０    名称  人生周季盤
１１    屋号  ご縁の森
１２    はがせる糊